(57)【要約】【課題】手指が麻痺した発症者が寝ながらでも急性期リハビリが行え、回復の程度に応じて徐々に強化することが可能な、簡便な構造の機能回復器具を提供することを目的とする。【解決手段】指の太さに合わせて円形の４つの貫通孔が設けられた第一部位及び該貫通孔それぞれに人差し指、中指、薬指、及び小指を差し込んだとき、掌に当接する第二部位を具備した複数の弾性板状部材を有することを特徴とする。また、弾性板状部材それぞれは、同一形状を有し、第一部位に貫通孔が所定の間隔で横一列に設けられたこと、貫通孔それぞれに人差し指、中指、薬指、及び小指を差し込んだとき、第二部位に親指を掛ける凹部が設けられたことが好ましい。【選択図】図３
0003178066.tif 000002
【実用新案登録請求の範囲】
【請求項１】
指の太さに合わせて円形の４つの貫通孔が設けられた第一部位及び該貫通孔それぞれに人差し指、中指、薬指、及び小指を差し込んだとき、掌に当接する第二部位を具備した複数の弾性板状部材を有することを特徴とする手指機能回復補助具。
【請求項２】
前記弾性板状部材それぞれは、同一形状を有し、前記第一部位に前記貫通孔が所定の間隔で横一列に設けられたことを特徴とする請求項１記載の手指機能回復補助具。
【請求項３】
前記弾性板状部材それぞれは、前記貫通孔それぞれに人差し指、中指、薬指、及び小指を差し込んだとき、前記第二部位に親指を掛ける凹部が設けられたことを特徴とする請求項１又は２記載の手指機能回復補助具。
【請求項４】
前記弾性板状部材のうちの少なくとも一つは、厚さ又は密度が他の該弾性板状部材とは異なることを特徴とする請求項１から３のうちの何れか１項記載の手指機能回復補助具。
【考案の詳細な説明】
【技術分野】
【０００１】
本考案は、麻痺した手指の機能を回復するために用いる手指機能回復補助具に関するものである。
【背景技術】
【０００２】
脳梗塞・脳卒中その他の病気や事故の後遺症などによって、手指の機能が麻痺した場合の機能回復には、従来からゴルフボールやくるみを掌でころがしたり、ゴムボールやスポンジ等を握ったり、緩めたりするリハビリ等が行われ、様々な機能回復補助具が開発されている。例えば、弾性部材で形成された左右一対の握り部と、該握り部による弾性変形を容易にする空間部とを有する健康具（特許文献１参照）、板に穴を開け、訓練しようとする指を挿しこんで、その指を意識して集中的に訓練できるようにした指訓練補助具（特許文献２参照）、あるいは平板状部材の外周近傍に指の入る穴を設け、その穴を挟む両側の位置を切り欠き、穴に平板状部材の厚みよりも長いパイプを配置した指運動健康遊戯補助具（特許文献３）が提案されている。
【先行技術文献】
【特許文献】
【０００３】
【特許文献１】特開平９−２３９０６６号公報
【特許文献２】特開２０００−６０９０９号公報
【特許文献３】特開２００２−２８２６１号公報
【考案の概要】
【考案が解決しようとする課題】
【０００４】
一般に、例えば脳梗塞を発症した後に行うリハビリテーションには、発症後すぐに行う急性期リハビリテ―ション、落着いた状態で行う回復期リハビリテ―ション、発症者の自立生活を支援するための維持期リハビリテ―ションという三段階に分類されている。このうち、急性期リハビリは、それを継続した発症者の麻痺が同程度の発症者に較べ手足が早く動いたという実例があり、特に重視されている。
しかしながら、特許文献１〜３に記載された補助具は、指や手にある程度の力を入れて訓練するために開発されたものであり、急性期リハビリ用としては不向きである。
本考案は、上記事情に鑑み、手指が麻痺した発症者が寝ながらでも急性期リハビリが行え、構造が簡単で、回復の程度に応じて
徐々に圧力を強めることが可能な機能回復器具を提供することを目的とする。
【課題を解決するための手段】
【０００５】
本考案は、指の太さに合わせて円形の４つの貫通孔が設けられた第一部位及び該貫通孔それぞれに人差し指、中指、薬指、及び小指を差し込んだとき、掌に当接する第二部位を具備した複数の弾性板状部材を有することを特徴とする。
このように、複数の弾性板状部材それぞれに手指が差し込まれる貫通孔を設けた部位と掌が当接する部位とが設けてあるので、麻痺した手指を開いて強制的に貫通孔に差し込めば、弾性板状部材の弾力により、急性期のリハビリができる上、貫通孔を指の太さに合わせて円形にしてあるので、麻痺した手指が外れ難い。また症状にあわせて枚数を増やして、手指に加わる圧力を強めることができる上、差し込んだ手指で握りこぶしを作ったり、その握りこぶしを開いたりすることにより、手指に加わる圧力がさらに強まり、リハビリ効果を高めることができる。
ここで、上記弾性板状部材それぞれは、同一形状を有し、上記第一部位に上記貫通孔が所定の間隔で横一列に設けられたことが好ましい。
このように、複数の弾性板状部材を同一形状とし、貫通孔を同じ位置に設ければ、複数の弾性板状部材に手指を差し込むのが容易である。
また、上記弾性板状部材それぞれは、上記貫通孔それぞれに人差し指、中指、薬指、及び小指を差し込んだとき、上記第二部位に親指を掛ける凹部が設けられたことも好ましい。
このように親指を掛ける凹部があれば、人差し指、中指、薬指、及び小指と一緒に親指のリハビリができる。
さらに、上記弾性板状部材のうちの少なくとも一つは、厚さ又は密度が他の該弾性板状部材と異なるものとすることができる。
複数の弾性板状部材のうち、厚さや密度が異なるものを設ければ、手指に加わる圧力を調整することが容易である。
【考案の効果】
【０００６】
本考案の手指機能回復補助具は、麻痺した手指を強制的に開いたまま保持できるうえ、握りこぶしを作ることや、枚数を増やすことにより、手指に加わる圧力を徐々に高めることができることから、いつでも、どこでも、寝たままの姿勢でも手指のリハビリを行うことができる。また、指穴は、指の太さに合わせてあるので、装着した補助具が手から外れることがなく、ウレタンフォームなどの弾性部材で構成されているので、手にやさしい。さらに、複数枚のパーツを形成するポリウレタンフォームの密度又は厚さの組み合わせを変えれば、手指に加わる圧力の調整が容易である。
【図面の簡単な説明】
【０００７】
【図１】図１は、第１実施例の手指機能回復補助具を示す平面図である。
【図２】図２は、第１実施例の手指機能回復補助具を示す断面図である。
【図３】図３は、第２の実施例の手指機能回復補助具を示す平面図である。
【図４】図４は、第２の実施例の手指機能回復補助具を示す断面図である。
【図５】図５は、第２の実施例の手指機能回復補助具の使用例を示す図である。
【図６】図６は、第２の実施例の手指機能回復補助具の使用例を示す図である。
【図７】図７は、第２の実施例の手指機能回復補助具の使用例を示す図である。
【図８】図８は、第２の実施例の手指機能回復補助具の使用例を示す図である。
【図９】図９は、第２の実施例の手指機能回復補助具の使用例を示す図である。
【考案を実施するための形態】
【０００８】
以下に本考案の実施例について図に基づいて説明する。
［第１の実施例］
図１及び図２は、第１の実施例の手指機能回復補助具を示す図であり、図１は平面図、図２は断面図である。
図１及び図２に示す手指機能回復補助具１ａは、同じ形状に成形された、厚さの異なる４つの板状パーツ（本考案の「板状弾性部材」に相当する。）１０を、複数枚組み合わせたものである。
それぞれの板状パーツ１０は、板状のポリウレタンフォームを略楕円形に裁断し、上部（本考案の「第一部位」に相当する。）１０ａには、開いた状態の指先を差し入れる４つの貫通孔２が横一列に設けられ、それら貫通孔２の周縁３が、貫通孔２に沿って丸くカットされている。各板状パーツ１０の横幅（楕円の長径）Ｗは、掌の幅より少し大き目になっており、縦幅（楕円の短径）Ｈは、人差し指、中指、薬指、及び小指を貫通孔２それぞれに差し入れたとき、下部（本考案の「第二部位」に相当する。）１０ｂの辺縁４が掌の付け根に当接するように設定されている。
本実施例の貫通孔２は、人差し指用貫通孔２ａと小指用貫通孔２ｄとは、中指用貫通孔２ｂ及び薬指用貫通孔２ｃよりも少し下に配置されているが、人差し指用貫通孔２ａ、中指用貫通孔２ｂ、薬指用の貫通孔２ｃ、及び小指用貫通孔２ｄが横一列に配置されている。
ここで、各板状パーツ１０のサイズの一例を示せば、横幅Ｗは、１２０ｍｍ、縦幅Ｈは、９０ｍｍに設定され、中指と薬指との間隔Ｄ１は３２ｍｍ、薬指と小指との間隔Ｄ２は、２３．５ｍｍに設定されている。また、板状パーツ１０の厚さは、１０ｍｍと２０ｍｍの２種類に設定されている。
本実施例の手指機能回復補助具１ａは、同じ厚さ、同じ密度のポリウレタンフォームを裁断し、同じ形状の４つの板状パーツ１０が成形されているが、板状パーツ１０の枚数は、必ずしも４枚に限定する必要はなく、複数枚であれば何枚でもよい。また、それらの板状パーツ１０は、全て同じ厚さ、同じ密度のポリウレタンフォームで成形しても、厚さ、又は密度の異なるポリウレタンフォームを組み合わせてもよい。さらに、必ずしもポリウレタンフォームを用いる必要はなく、柔軟性・弾力性があり、手に装着して、手指を握ったり、開いたりしたときに、手指に緩やかな圧力が加わる程度の板状弾性部材であればよい。なお、ポリウレタンフォームは、抗菌仕様のものであっても、消臭効果を有するものであってもよい。
【０００９】
［第２の実施例］
図３及び図４は、第２の実施例の手指機能回復補助具を示す図であり、図３は平面図、図４は断面図である。
図３及び図４に示す第２の実施例の手指機能回復補助具１ｂは、同じ形状をした、厚さの異なる６つの板状パーツ（本考案の「板状弾性部材」に相当する。）２０を組み合わせたものである。第２の実施例の各板状パーツ２０は、第１の実施例の各板状パーツ１０に較べて下部２０ｂに、半円形をした２つの突起部５と、親指が掛る凹部６とを有し、凹部６は、人差し指用貫通孔２ａの周縁３、丸くカットされた部分と一方の突起部５との境界に形成されている。
第２の実施例の各板状パーツ２０における横幅Ｗ、中指と薬指との間隔Ｄ１、薬指と小指との間隔Ｄ２それぞれは、第１の実施例の各板状パーツ１０と同様に設定されているが、厚さは、５ｍｍ、１０ｍｍ、１５ｍｍ、２０ｍｍ、３０ｍｍ、４０ｍｍの６種類に設定されている。
本実施例の手指機能回復補助具１ｂは、各板状パーツ２０の貫通孔２それぞれに人差し指、中指、薬指、及び小指を差し入れ、突起部５の直上にある凹部６に親指を掛け、人差し指、中指、薬指、及び小指と一緒に親指も屈伸させて手指のリハビリを行う。
次に、本考案の使用方法について説明する。
ここで、第１の実施例の手指機能回復補助具１ａは、第２の実施例の手指機能回復補助具１ｂに較べて、半円形の２つの突起部５と親指を掛ける凹部６がない点は相違するが、貫通孔２の配置等は共通する。従って、第２の実施例の手指機能回復補助具１ｂに基づいて使用方法を説明する。
図５から図８は、第２の実施例の手指機能回復補助具の使用例を示す図である。
【００１０】
図５に示すように、１枚の板状パーツ２０に設けられた、人差し指用貫通孔２ａ、中指用の貫通孔２ｂ、薬指用の貫通孔２ｃ、及び小指用貫通孔２ｄそれぞれに、麻痺した手指（人差し指、中指、薬指、及び小指）の指先を開いて差し込む。次に、図６及び図７に示すように、麻痺の症状やリハビリテ―ションの段階に応じて、麻痺した手指を差し込む板状パーツ２０の枚数を２枚、３枚と増やす。そして、図８に示すように、一方の突起部５の直上にある凹部６に親指を掛け、図９に示すように、人差し指用貫通孔２ａ、中指用の貫通孔２ｂ、薬指用の貫通孔２ｃ、及び小指用貫通孔２ｄそれぞれに差し込んだ手指及び凹部６に掛けた親指で握りこぶしを作ったり、開いたりする。差し込んだ手指で握りこぶしを作った状態から手指をある程度まで開く時は、ポリウレタンフォームの弾力性に助勢される。一方、差し込んだ手指で握りこぶしを作る時は、ポリウレタンフォームの弾力性に逆らって力を加える必要がある。
従って、他人の手助けを受けて、或は自力で、麻痺した手指のリハビリが、いつでも、何処でも、寝たままの状態でも、行うことができる。その場合、各板状パーツ１０、２０を抗菌仕様、或は消臭効果を有するもので成形すれば、衛生的である。
第１の実施例及び第２の実施例で示した手指機能回復補助具１ａ，１ｂは、同じ形状に成形された４枚乃至６枚の板状パーツ１０、２０で形成されているが、使用するのは、そのうちの１枚の板状パーツ１０、２０であっても、全部の板状パーツ１０、２０であってもよく、また必ずしも４枚乃至６枚の板状パーツ１０、２０が全て同じ形状である必要はない。さらに、第１の実施例の板状パーツ１０と第２の実施例の板状パーツ２０とを組み合わせて本考案の手指機能回復補助具とすることもできる。
【産業上の利用可能性】
【００１１】
パーツに着色したり、絵柄を付したものなどは、花瓶などの下敷、クッションなどとしても活用できる。
【符号の説明】
【００１２】
１ａ，１ｂ  手指機能回復補助具
２          貫通孔
２ａ        人差し指用貫通孔
２ｂ        中指用貫通孔
２ｃ        薬指用貫通孔
２ｄ        子指用貫通孔
３          周縁
４          辺縁
５          突起部
６          凹部
１０，２０  板状パーツ
１０ａ，２０ａ  上部
１０ｂ，２０ｂ  下部    
Ｗ          横幅
Ｈ          縦幅
Ｄ１        中指と薬指との間隔
Ｄ２        薬指と小指との間隔
【図１】
0003178066.tif 000003
【図２】
0003178066.tif 000004
【図３】
0003178066.tif 000005
【図４】
0003178066.tif 000006
【図５】
0003178066.tif 000007
【図６】
0003178066.tif 000008
【図７】
0003178066.tif 000009
【図８】
0003178066.tif 000010
【図９】
0003178066.tif 000011